(57)【要約】      （修正有）【課題】亜鉛メッキを施した既設の床支柱の交換作業を行うことなく、既設の床支柱よりのウイスカの飛散を容易に防止するとともに、コンピュータ室に再びウイスカが飛散することを確実に防止するコンピュータ室のウイスカ飛散防止装置を提供すること。コンピュータ室のウイスカ飛散防止装置を提供すること。【解決手段】コンピュータ室のウイスカ飛散防止装置２０は、床パネルを支持する床支柱１０のベース部１１を覆い、メッキ皮膜の格子歪とメッキ皮膜中の炭素含有量とを予め定めた値としたウイスカが発生しないメッキＮＭを施したベースカバー部２１と、床支柱１０の支柱部１２を覆い、メッキＮＭを施した支柱カバー部２５とを備えることとした。【選択図】図１
2007002636.tif 000002
【特許請求の範囲】
【請求項１】
床パネルを支持する床支柱のベース部を覆い、メッキ皮膜の格子歪とメッキ皮膜中の炭素含有量とを予め定めた値としたウイスカが発生しないメッキを施したベースカバー部と、前記床支柱の支柱部を覆い、前記メッキを施した支柱カバー部とを備えたことを特徴とするコンピュータ室のウイスカ飛散防止装置。
【請求項２】
前記ベースカバー部は、前記ベース部を互いに向合せたベースカバーにより覆い、前記支柱カバーは、前記ベースカバーにそれぞれ固定され前記床支柱の支柱部の下側を覆う互いに向合せた連結用カバーと連結し、前記連結用カバーに対し高さ方向に調整取付け可能とすることを特徴とする請求項１に記載のコンピュータ室のウイスカ飛散防止装置。
【請求項３】
前記支柱カバーは、前記ベースカバーに固定され前記床支柱の支柱部の下側を覆う円筒形状の連結用カバー部と連結し、前記連結用カバー部に対し高さ方向に調整可能とすることを特徴とする請求項１に記載のコンピュータ室のウイスカ飛散防止装置。
【請求項４】
前記支柱カバーは、円筒形状に形成され、前記ベースカバーと一体的に形成することを特徴とする請求項１に記載のコンピュータ室のウイスカ飛散防止装置。
【発明の詳細な説明】
【技術分野】
【０００１】  本発明は、亜鉛メッキを施した既設の床支柱の交換作業を行うことなく、既設の床支柱よりのウイスカの飛散を容易に防止するとともに、コンピュータ室に再びウイスカが飛散することを確実に防止するコンピュータ室のウイスカ飛散防止装置に関する。
【背景技術】
【０００２】  コンピュータやデータ保管機器類などのコンピュータ機器が設置されるコンピュータ室の床下は、コンクリート床の上方に設けられた床支柱により床パネルが支持され、コンピュータ機器の冷却用の空気を流したり、多数のケーブルを引き回したりするためのすき間が設けられている。このすき間を設けるための床支柱は、耐食性に優れ安価であることから亜鉛メッキが施されている。亜鉛メッキの表面には、直径２μｍ、長さ２ｍｍ程度の目に見えないほど細い亜鉛のひげ状結晶のウイスカが発生することがあり、発生したウイスカが亜鉛メッキの表面から飛散し、床下からコンピュータ室内に浮遊しコンピュータ機器の中に入り込み、電気的短絡が発生することがあるとの報告が行われている（例えば、非特許文献１、２参照）。
床パネルを支持する既設の亜鉛メッキを施した床支柱よりウイスカが発生したときには、コンピュータ機器に電気的短絡が発生するおそれがあるため、ウイスカが発生しない床支柱と新たに交換する必要がある。床支柱の交換作業は、床下のすき間は狭く、機器冷却用のダクトや極めて多数のケーブルが配設されており極めて困難であるとともに、ケーブルの配設に支障を来たしコンピュータ機器の誤作動をまねく重大な支障を引き起こすおそれがある。そこで、亜鉛メッキを施した既設の床支柱よりウイスカが飛散することを防止するため、既設の床支柱を交換せずに表面に塗装することも考えられるが、ウイスカは塗膜を破って成長するため効果は期待できず、また、既設の床支柱を覆う場合には、コンピュータ室に再びウイスカが飛散しないようにウイスカが発生しないステンレスやアルミで床支柱を覆う必要があり、極めて高価のものとならざるを得ないという問題があった。【０００３】
【非特許文献１】  （社）電子情報技術産業協会  平成１４年１月１６日  ウイスカにご注意ください
【非特許文献２】  ＮＩＫＫＥＩ  ＥＬＥＣＴＲＯＮＩＣＳ  ２００３．１．６（５９〜６８頁）
【発明の開示】
【発明が解決しようとする課題】
【０００４】  本発明は、上記に鑑みてなされたものであって、亜鉛メッキを施した既設の床支柱の交換作業を行うことなく、既設の床支柱よりのウイスカの飛散を容易に防止するとともに、コンピュータ室に再びウイスカが飛散することを確実に防止するコンピュータ室のウイスカ飛散防止装置を提供することを目的とする。
【課題を解決するための手段】
【０００５】  本発明のコンピュータ室のウイスカ飛散防止装置は、床パネルを支持する床支柱のベース部を覆い、メッキ皮膜の格子歪とメッキ皮膜中の炭素含有量とを予め定めた値としたウイスカが発生しないメッキを施したベースカバー部と、前記床支柱の支柱部を覆い、前記メッキを施した支柱カバー部とを備えることとした。
また、前記ベースカバー部は、前記ベース部を互いに向合せたベースカバーにより覆い、前記支柱カバーは、前記ベースカバーにそれぞれ固定され前記床支柱の支柱部の下側を覆う互いに向合せた連結用カバーと連結し、前記連結用カバーに対し高さ方向に調整取付け可能とすることとした。
また、前記支柱カバーは、前記ベースカバーに固定され前記床支柱の支柱部の下側を覆う円筒形状の連結用カバー部と連結し、前記連結用カバー部に対し高さ方向に調整可能とすることとした。
さらに、前記支柱カバーは、円筒形状に形成され、前記ベースカバーと一体的に形成することとした。
【発明の効果】
【０００６】  本発明のコンピュータ室のウイスカ飛散防止装置は、床パネルを支持する床支柱のベース部を覆い、メッキ皮膜の格子歪とメッキ皮膜中の炭素含有量とを予め定めた値としたウイスカが発生しないメッキを施したベースカバー部と、前記床支柱の支柱部を覆い、前記メッキを施した支柱カバー部とを備えることとしたため、亜鉛メッキを施した既設の床支柱の交換作業を行うことなく、既設の床支柱よりのウイスカの飛散を容易に防止するとともに、コンピュータ室に再びウイスカが飛散することを確実に防止することができる。
また、前記ベースカバー部は、前記ベース部を互いに向合せたベースカバーにより覆い、前記支柱カバーは、前記ベースカバーにそれぞれ固定され前記床支柱の支柱部の下側を覆う互いに向合せた連結用カバーと連結し、前記連結用カバーに対し高さ方向に調整取付け可能とすることとしたため、既設の床支柱の側面を確実に覆うことができる。
また、前記支柱カバーは、前記ベースカバーに固定され前記床支柱の支柱部の下側を覆う円筒形状の連結用カバー部と連結し、前記連結用カバー部に対し高さ方向に調整可能とすることとしたため、床梁を交換するなどのため取外すときなどに、既設の床支柱の側面を簡潔構造で確実に覆うことができる。
さらに、前記支柱カバーは、円筒形状に形成され、前記ベースカバーと一体的に形成することとしたため、既設の床支柱の側面を単体の簡潔構造で確実に覆うことができる。
【発明を実施するための最良の形態】
【０００７】  以下、本発明の実施の形態のコンピュータ室のウイスカ飛散防止装置につき図を用いて説明する。
【実施例１】
【０００８】  図１は、本発明の第１の実施の形態のコンピュータ室のウイスカ飛散防止装置の斜視図を示す。
図１に示すように、コンピュータやデータ保管機器類などのコンピュータ機器が設置されるコンピュータ室の床パネル１９（図２参照）を支持する床支柱１０は、コンピュータ室の基礎のコンクリート床２９（図２参照）に固定されるベース部１１と、ベース部１１に取付けられる支柱部１２と、支柱部１２の上側端部に取付けられる床受部１３とで構成されている。支柱部１２の外周に形成されたネジ部１４ｂに高さ調整を行う高さ調整ナット１４ａが取付けられ、支柱部１２と床受部１３とを連結されている。床受部１３は、下端側に高さ調整ナット１４ａが回転自在に取付けられ、上端側に床受ブロック１５ａが固定され、さらに床受ブロック１５の上面には床パネル係止部１５ａが形成されている。
このように、コンピュータ室の床下には、床支柱１０により床パネル１９が支持され、コンクリート床２９と床パネル１９との間にすき開が設けられている。このすき間には、コンピュータ機器冷却用の空気を流したり、多数のケーブルが配設されたりしている。床支柱１０は、耐食性に優れ安価であることから亜鉛メッキが施されたものが一般的に用いられている。
本発明の第１の実施の形態のコンピュータ室のウイスカ飛散防止装置２０は、床パネルを支持する亜鉛メッキが施された床支柱１０のベース部１１を覆うベースカバー部２１と、床支柱１０の支柱部１２と床受部１３とを側方から覆う支柱カバー部２５とで構成されている。ベースカバー部２１は、互いに向合せてベース部１１を覆う２個のベースカバー２１Ａ、２１Ｂとで構成され、支柱カバー部２５は、互いに向合せて支柱部１２と床受部１３とを側方から覆う２個の支柱カバー２５Ａ、２５Ｂとで構成されている。
ベースカバー２１Ａ、２１Ｂは、上面に断面がコの字形状で支柱部１２の下側を覆い、支柱カバー２５Ａ、２５Ｂが外側に連結取付け可能の連結用カバー２２Ａ、２２Ｂが固定されている。また、ベースカバー２１Ｂには、ベースカバー２１Ａと向き合う側の上面と側面に突部２３ｂが形成されたプレート２３ｃが取付けられ、ベースカバー２１Ａには、ベースカバー２１Ｂの上面と側面に取付けられたプレート２３ｃに形成された突部２３ｂと係合する穴２３ａが明けられている。ベースカバー２１Ａ、２１Ｂは、突部２３ｂと穴２３ａとにより矢印Ｈａ、Ｈｂに示すように水平方向から連結することができる。
支柱カバー２５Ｂには、支柱カバー２５Ａと向き合う側の側面外側に突部２６ｂが予め定めた複数個形成され、支柱カバー２５Ａには、支柱カバー２５Ｂと向き合う側の側面に支柱カバー２５Ｂの突部２６ｂと内側で係合する穴２６ａが予め定めた複数個明けられている。支柱カバー２５Ａ、２５Ｂは、突部２６ｂと穴２６ａとにより矢印Ｈｃ、Ｈｄに示すように水平方向から連結することができる。また、支柱カバー２５Ａ、２５Ｂには、内側に凸設した平板状の止部２７ａが取付けられ、ベースカバー２１Ａ、２１Ｂの連結用カバー２２Ａ、２２Ｂには、平板状の止部２７ａが挿入可能の複数のスリット２７ｂが側面に形成され、平板状の止部２７ａとスリット２７ｂとにより、支柱カバー２５Ａ、２５Ｂをベースカバー２１Ａ、２１Ｂに対し高さ方向に調整取付け可能とする高さ調整機構を構成している。
ウイスカ飛散防止装置２０を構成するベースカバー部２１と、連結用カバー２２Ａ、２２Ｂと、支柱カバー部２５とは、メッキ皮膜の格子歪と、メッキ皮膜中の炭素含有量とをそれぞれ規定したウイスカが発生しないメッキＮＭを施すものである。このウイスカが発生しないメッキは、特許第３３４０４０１号公報に記載されたメッキであり、Ｘ線回析装置を用いて測定したメッキ皮膜の格子歪が０．０２〜０．３５％であり、かつメッキ皮膜中の炭素含有量が０．０１〜０．０７重量％である。
従って、ウイスカ飛散防止装置２０は、既設の床支柱を簡潔構造で覆いウイスカの飛散を容易に防止するとともに、ウイスカ飛散防止装置２０自体からもウイスカの発生を安価で確実に防止することができる。【０００９】  ウイスカ飛散防止装置２０を亜鉛メッキが施されている既存の床支柱１０に設置するときには、まず、ウイスカ飛散防止装置２０のベースカバー部２１により床支柱１０のベース部１１を覆う設置作業を行う。ベースカバー部２１の取付作業は、矢印Ｈａ、Ｈｂに示す方向からベースカバー２１Ａ、２１Ｂを互いに向合せて移動させ、ベースカバー２１Ｂの上面と側面に取付けられたプレート２３ｃをベースカバー２１Ａの内側に入れ、プレート２３ｃに形成された突部２３ｂを、ベースカバー２１Ａに明けられた穴２３ａに係合させ、ベースカバー２１Ａ、２１Ｂを互いに連結し、ベース部１１を覆う。
次に、ウイスカ飛散防止装置２０の支柱カバー部２５により床支柱１０の支柱部１２と床受部１３とを側方から覆う設置作業を行う。支柱カバー部２５の設置作業は、矢印Ｈａ、Ｈｂとは直交する矢印Ｈｃ、Ｈｄの方向から支柱カバー２５Ａ、２５Ｂを互いに向合せて移動させ、支柱カバー２５Ｂの側面外側に形成された突部２６ｂを、支柱カバー２５Ａの側面に明けられている穴２６ａに内側から係合させ、支柱カバー２５Ａ、２５Ｂを互いに連結し、床支柱１０の支柱部１２と床受部１３とを側方から覆う。このとき、支柱カバー２５Ａ、２５Ｂには、内側に平板状の止部２７ａが取付けられ、ベースカバー２１Ａ、２１Ｂの連結用カバー２２Ａ、２２Ｂには複数のスリット２７ｂが側面に形成され高さ調整機構が構成されており、平板状の止部２７ａをいずれかのスリット２７ｂに挿入することにより、支柱カバー２５Ａ、２５Ｂを高さ方向に調整取付を行うことができる。【００１０】  図２は、本発明の第１の実施の形態のコンピュータ室のウイスカ飛散防止装置を床支柱に設置したときの側面図を示す。
図２に示すように、床支柱１０は、基礎のコンクリート床２９にベース部１１が固定され、支柱部１２の上側端部に取付けられる床受部１３には、床パネル１９が床パネル係止部１５ａにより止められ取付けられている。支柱部１２には外周にネジ部１４ｂが形成され、支柱部１２と床受部１３とを連結するとともに、高さ調整を行う高さ調整ナット１４ａが取付けられ、高さ調整ナット１４ａにより所望の高さに床パネル１９が取付けられている。
発明の第１の実施の形態のコンピュータ室のウイスカ飛散防止装置２０は、連結用カバー２２Ａ、２２Ｂが固定されたベースカバー部２１と、支柱カバー部２５とにより床支柱１０を覆っている。ベースカバー部２１は、２個のベースカバー２１Ａ、２１Ｂを水平方向から連結して床支柱１０のベース部１１を覆い、支柱カバー部２５は、２個の支柱カバー２５Ａ、２５Ｂをベースカバー２１Ａ、２１Ｂの連結方向とは直交する水平方向から連結して床支柱１０の支柱部１２と床受部１３とを覆っている。また、支柱カバー２５Ａ、２５Ｂの内側に取付けられた止部２７ａ（図１参照）と、ベースカバー２１Ａ、２１Ｂの連結用カバー２２Ａ、２２Ｂの側面に形成された複数のスリット２７ｂとにより高さ調整機構が構成され、平板状の止部２７ａをいずれかのスリット２７ｂに挿入することにより、支柱カバー２５Ａ、２５Ｂが高さ方向に調整取付されている。ウイスカ飛散防止装置２０には、前記したウイスカが発生しないメッキＮＭが施されている。【００１１】  以上述べたように、本発明の第１の実施の形態のコンピュータ室のウイスカ飛散防止装置２０は、連結用カバー２２Ａ、２２Ｂが固定されたベースカバー部２１と、連結用カバー２２Ａ、２２Ｂと連結する支柱カバー部２５とにより、床支柱１０を容易に覆い、コンピュータ機器の誤作動をまねく重大な支障を引き起こすことなくウイスカの飛散を容易に防止することができる。さらに、連結用カバー２２Ａ、２２Ｂが固定されたベースカバー部２１と、支柱カバー部２５とは、前記したウイスカが発生しないメッキＮＭを施しているため、ウイスカ飛散防止装置２０自体からもウイスカの発生を安価で確実に防止することができ、コンピュータ室に再びウイスカが飛散することを確実に防止することができる。
また、２個のベースカバー２１Ａ、２１Ｂを互いに向合せ側方から覆う設置方向と、２個の支柱カバー２５Ａ、２５Ｂを互いに向合せ側方から覆う設置方向とを互いに直交方向とすることにより、ベースカバー２１と支柱カバー２５とを強固に固定し設置することができる。
さらに、支柱カバー２５Ａ、２５Ｂを高さ調整機構により高さ方向に調整取付けが可能であり、床支柱１０の側面を確実に覆うことができる。
なお、支柱カバー２５は、床支柱１０の床受部１３が亜鉛メッキが施されていないアルミダイキャストなどで製造されている場合には、床受部１３を除き覆うようにすることもできる。
【実施例２】
【００１２】  図３は、本発明の第２の実施の形態のコンピュータ室のウイスカ飛散防止装置の斜視図を示す。
図３に示すように、床支柱１０は、本発明の第１の実施の形態の図１と同様に構成され、耐食性に優れ安価であることから亜鉛メッキが施されたものが一般的に用いられている。床下のすき間には、コンピュータ機器冷却用の空気を流したり、多数のケーブルが配設されたりしている。
本発明の第２の実施の形態のコンピュータ室のウイスカ飛散防止装置３０は、ウイスカ飛散防止装置３０の取付けを行うときに床支柱１０の間を水平方向で格子状に連結し床パネル１９を支える床梁を交換するなどのため取外す場合に、床支柱１０の上方から取付けるもので、床パネルを支持する亜鉛メッキが施された床支柱１０のベース部１１を覆う円筒形状のベースカバー部３１と、床支柱１０の支柱部１２と床受部１３とを覆う円筒形状の支柱カバー部３５とで構成されている。ベースカバー部３１は、支柱カバー部３５が上方から連結取付け可能の円筒形状の連結用カバー部３２が固定されている。
また、支柱カバー部３５には、下側が開口したスリット３４が垂直方向に形成され、ベースカバー部３１の連結用カバー部３２には、支柱カバー部３５のスリット３４を介してタッピングネジ３３が取付けられる穴（図示せず）が側面に形成され、スリット３４とタッピングネジ３３とにより、支柱カバー部３５をベースカバー部３１に対し高さ方向に調整可能とする高さ調整機構を構成している。
ウイスカ飛散防止装置３０を構成する連結用カバー部３２が固定されたベースカバー部３１と、支柱カバー部３５とは、前記したウイスカが発生しないメッキＮＭが施されている。【００１３】  ウイスカ飛散防止装置２０を亜鉛メッキが施されている既存の床支柱１０に設置するときには、まず、矢印Ｐに示すように、ウイスカ飛散防止装置３０のベースカバー部３１を上方より床支柱１０を内側に入れて移動させ床支柱１０のベース部１１を覆う設置作業を行う。次に、ウイスカ飛散防止装置３０の支柱カバー部３５により床支柱１０の支柱部１２と床受部１３とを覆う設置作業を行う。支柱カバー部３５の設置作業は、矢印Ｐに示すように、支柱カバー部３５を上方より床支柱１０を内側に入れて移動させてベースカバー部３１の連結用カバー３２の外側にかぶせ床支柱１０の支柱部１２と床受部１３とを覆うことを行う。
支柱カバー部３５には、下側が開口したスリット３４が垂直方向に形成され、ベースカバー部３１の連結用カバー部３２には、タッピングネジ３３が取付けられる穴（図示せず）が側面に形成され、スリット３４とタッピングネジ３３とにより、支柱カバー部３５をベースカバー部３１に対し高さ方向に調整可能とする高さ調整機構を構成されており、スリット３４を介してタッピングネジ３３を取付けることにより、支柱カバー部３５を連結用カバー部３２にかぶせて取付けた後に高さ方向に調整し固定することができる。
従って、ウイスカ飛散防止装置３０は、床パネル１９を支える床梁が設置されており床梁を交換するなどのため取外すときなどに、既設の床支柱を簡潔構造で覆いウイスカの飛散を容易に防止するとともに、ウイスカ飛散防止装置３０自体からもウイスカの発生を安価で確実に防止することができる。【００１４】  図４は、本発明の第２の実施の形態のコンピュータ室のウイスカ飛散防止装置を床支柱に設置したときの側面図を示す。
図４に示すように、床支柱１０は、本発明の第１の実施の形態の図１と同様に構成され、基礎のコンクリート床２９に固定され、床パネル１９が床パネル係止部１５ａにより止められ取付けられている。
発明の第２の実施の形態のコンピュータ室のウイスカ飛散防止装置３０は、支柱カバー部３５と、支柱カバー部３５が上方から連結取付け可能の円筒形状の連結用カバー部３２が固定されたベースカバー部３１とにより床支柱１０を覆っている。ウイスカ飛散防止装置３０を構成する連結用カバー部３２が固定されたベースカバー部３１と、支柱カバー部３５とは、前記したウイスカが発生しないメッキＮＭが施されている。支柱カバー部３５には、スリット３４が垂直方向に形成され、連結用カバー部３２には、タッピングネジ３３が取付けられる穴（図示せず）が側面に形成され、スリット３４とタッピングネジ３３とにより、支柱カバー部３５をベースカバー部３１に対し高さ方向に調整可能とする高さ調整機構が構成され、スリット３４を介してタッピングネジ３３を取付けることにより、支柱カバー部３５を高さ方向に調整し固定することができる。【００１５】  以上述べたように、本発明の第２の実施の形態のコンピュータ室のウイスカ飛散防止装置３０は、円筒形状の支柱カバー部３５と、連結用カバー部３２が固定されたベースカバー部３１とにより構成し、床パネル１９を支える床梁を交換するなどのため取外す場合に、床支柱１０を容易に覆い、コンピュータ機器の誤作動をまねく重大な支障を引き起こすことなくウイスカの飛散を容易に防止することができる。さらに、支柱カバー部２５と、連結用カバー部３２が固定されたベースカバー部３１とは、メッキ皮膜の格子歪と、メッキ皮膜中の炭素含有量とをそれぞれ規定したウイスカが発生しないメッキＮＭを施しているため、ウイスカ飛散防止装置３０自体からもウイスカの発生を安価で確実に防止することができ、コンピュータ室に再びウイスカが飛散することを確実に防止することができる。
さらに、支柱カバー部３５を高さ調整機構により高さ調整することにより、床支柱１０の側面を確実に覆うことができる。
なお、支柱カバー部３５は、床支柱１０の床受部１３が亜鉛メッキが施されていないアルミダイキャストなどで製造されている場合には、床受部１３を除き覆うようにすることもできる。
【実施例３】
【００１６】  図５は、本発明の第３の実施の形態のコンピュータ室のウイスカ飛散防止装置を床支柱に設置したときの側面図を示す。
図５に示すように、床支柱１０は、本発明の第１の実施の形態の図１と同様に構成され、耐食性に優れ安価であることから亜鉛メッキが施されたものが一般的に用いられている。床下のすき間には、コンピュータ機器冷却用の空気を流したり、多数のケーブルが配設されたりしている。
本発明の第３の実施の形態のコンピュータ室のウイスカ飛散防止装置４０は、ウイスカ飛散防止装置４０の取付けを行うときに床支柱１０の間を水平方向で格子状に連結し床パネル１９を支える床梁を交換するなどのため取外す場合に、床支柱１０の上方から取付けるもので、床パネルを支持する亜鉛メッキが施された床支柱１０のベース部１１を覆う円筒形状のベースカバー部４１と、床支柱１０の支柱部１２と床受部１３とを覆う円筒形状の支柱カバー部４５とが一体的に形成されている。ウイスカ飛散防止装置４０は、上端までの高さＨｓと、コンクリート床２９から床パネル１９までの高さＨｕとが同じに設定されているため、円筒形状の支柱カバー部４５には高さ調整機構を必要とせず、単体の簡潔構造とすることができる。ウイスカ飛散防止装置４０は、前記したウイスカが発生しないメンキＮＭが施されている。
従って、ウイスカ飛散防止装置４０は、床パネル１９を支える床梁が設置されており床梁を交換するなどのため取外す場合に、既設の床支柱を単体の簡潔構造で覆いウイスカの飛散を容易に防止するとともに、ウイスカ飛散防止装置４０自体からもウイスカの発生を安価で確実に防止することができる。【００１７】  ウイスカ飛散防止装置４０は、床梁を取外した後に、ウイスカ飛散防止装置４０を上方より床支柱１０を内側に入れて移動させ床支柱１０のベース部１１をベースカバー部４１により覆うとともに、支柱カバー部４５により支柱部１２と床受部１３とを覆い、亜鉛メッキが施されている既存の床支柱１０に設置する。【００１８】  以上述べたように、本発明の第３の実施の形態のコンピュータ室のウイスカ飛散防止装置３０は、床支柱１０のベース部１１を覆う円筒形状のベースカバー部４１と、床支柱１０の支柱部１２と床受部１３とを覆う円筒形状の支柱カバー部４５とが一体的に形成されており、ウイスカ飛散防止装置４０を設置するときに床パネル１９を支える床梁を交換するなどのため取外す場合に、床支柱１０を単体の簡潔構造で覆い、コンピュータ機器の誤作動をまねく重大な支障を引き起こすことなくウイスカの飛散を容易に防止することができる。さらに、ウイスカ飛散防止装置４０は、メッキ皮膜の格子歪と、メッキ皮膜中の炭素含有量とをそれぞれ規定したウイスカが発生しないメッキを施しているため、ウイスカ飛散防止装置４０自体からもウイスカの発生を安価で確実に防止することができ、コンピュータ室に再びウイスカが飛散することを確実に防止することができる。
なお、支柱カバー部４５は、床支柱１０の床受部１３が亜鉛メッキが施されていないアルミダイキャストなどで製造されている場合には、床受部１３を除き覆うようにすることもできる。
【図面の簡単な説明】
【００１９】
【図１】  本発明の第１の実施の形態のコンピュータ室のウイスカ飛散防止装置の斜視図を示す。
【図２】  本発明の第１の実施の形態のコンピュータ室のウイスカ飛散防止装置を床支柱に設置したときの側面図を示す。
【図３】  本発明の第２の実施の形態のコンピュータ室のウイスカ飛散防止装置の斜視図を示す。
【図４】  本発明の第２の実施の形態のコンピュータ室のウイスカ飛散防止装置を床支柱に設置したときの側面図を示す。
【図５】  本発明の第３の実施の形態のコンピュータ室のウイスカ飛散防止装置を床支柱に設置したときの側面図を示す。
【符号の説明】
【００２０】  １０  床支柱
１１  ベース部
１２  支柱部
１３  床受部
１４ａ  高さ調整ナット
１５ａ  床パネル係止部
２０、３０、４０  ウイスカ飛散防止装置
２１、３１、４１  ベースカバー部
２１Ａ、２１Ｂ  ベースカバー
２２Ａ、２２Ｂ、３２  連結用カバー
２３ｂ、２６ｂ  突部
２３ａ、２６ａ  穴
２５、３５、４５  支柱カバー部
２５Ａ、２５Ｂ  支柱カバー
２７ａ  止部
２７ｂ  スリット
【図１】
2007002636.tif 000003
【図２】
2007002636.tif 000004
【図３】
2007002636.tif 000005
【図４】
2007002636.tif 000006
【図５】
2007002636.tif 000007